(57)【要約】【課題】屋根部分が低く、果実を収穫しやすく、栽培しやすい、簡単な構造の農業用ハウス、さくらんぼ用ビニールハウスを提供する。【解決手段】果樹を栽培する農業用ハウスとしてのさくらんぼ用ビニールハウス１０は、立設される支柱１と、支柱１の上部に設けられた、ビニールシートを設置可能な屋根部２と、屋根部２よりも低い位置に傾斜して配置されるとともに支柱１に直接又は間接的に連結部材により連結された、果樹の幹のガイド用の傾斜ガイド部材３と、を有する。【選択図】図２
2016093109.tif 000002
【特許請求の範囲】
【請求項１】
果樹を栽培するための農業用ハウスであって、
立設される支柱と、
前記支柱の上部に設けられた、ビニールシートを設置可能な屋根部と、
前記屋根部よりも低い位置に傾斜して配置されるとともに前記支柱に直接又は間接的に連結部材により連結される、果樹の幹のガイド用の傾斜ガイド部材と、を有することを特徴とする
農業用ハウス。
【請求項２】
規定間隔で一列に立設された複数の前記支柱間に設けられ、前記傾斜ガイド部材の上部に連結される水平部材と、
複数の前記傾斜ガイド部材間に設けられ、果樹の幹から伸びる枝を略水平に導くガイド用の水平ガイド部材と、を有することを特徴とする請求項１に記載の農業用ハウス。
【請求項３】
農業用ハウスの周囲を覆う防霜用ビニールシートを有することを特徴とする請求項１または請求項２に記載の農業用ハウス。
【請求項４】
前記屋根部は、少なくともビニールシート、防鳥用ネット、防虫用ネットのいずれかを設置可能な構造を有することを特徴とする請求項１から請求項３のいずれかに記載の農業用ハウス。
【請求項５】
前記傾斜ガイド部材は筋交いを兼ねることを特徴とする請求項１から請求項４のいずれかに記載の農業用ハウス。
【請求項６】
請求項１から請求項５のいずれかに記載の農業用ハウスを用いたさくらんぼ用ビニールハウス。
【発明の詳細な説明】
【技術分野】
【０００１】
本発明は、農業用ハウス、特に、さくらんぼ用ビニールハウスに関する。
【背景技術】
【０００２】
複数本のパイプを連結してなる農業用ビニールハウスが知られている（例えば、特許文献１参照）。
【０００３】
また、さくらんぼ（桜桃）を栽培するためのビニールハウスが知られている。さくらんぼの栽培・管理は難しく、一般的に、さくらんぼの樹木（果樹）の上部付近をビニールシートで覆う防雨対策や、防鳥用ネットで樹木を覆う防鳥対策などを行っている。図１３は一般的なさくらんぼ用ビニールハウスの一例を示す斜視図である。さくらんぼ用ビニールハウスとしては、ドーム型などが知られている。
【０００４】
さくらんぼは蕾から開花するまでの期間に、低温や降霜により雌しべがダメージを受ける場合がある。特に、地面に近い低い枝で霜の被害が大きい。このため、ビニールハウスの屋根部分をビニールシートで覆い、ハウス内の温度の低下を防ぐことが行われている。
【０００５】
また、高温になりすぎると、さくらんぼの雄しべがダメージを受けて、受粉率が低下する場合がある。このため、ビニールハウスの屋根部分を開口させて、ハウス内の温度の上昇を防ぐことが行われている。
【０００６】
また、さくらんぼの実の皮は薄く、収穫時期に雨で濡れると、実の皮の部分が割れる場合がある。また、強風の場合、さくらんぼの実が傷ついたり、実が落ちる場合がある。このため、雨天や強風時に、ビニールハウスの屋根部分をビニールシートで覆う防雨対策や防風対策が行われている。
【０００７】
また、さくらんぼの果実は収穫時期に鳥害等の被害にあう場合がある。このため、防鳥用ネットでビニールハウス全体を覆うことが行われている。
【先行技術文献】
【特許文献】
【０００８】
【特許文献１】特開２０１１−１６７１４６号公報
【発明の概要】
【発明が解決しようとする課題】
【０００９】
一般的に、さくらんぼの樹木は略垂直に成長し、５〜６ｍ程度の高さになり、比較的高い位置の枝に実がなる。この場合、ビニールハウスの屋根部分を５〜８ｍ程度の高さとすることを要する。また、一般的に、一列に並んだ複数本の樹木をまとめて栽培管理するために、奥行きのある大きなビニールハウスとなっている。
また、防雨用ビニールシートや防鳥用ネットの脱着時に、作業者がハウスの屋根部分の高所でそれらの脱着作業を行っていた。この高所作業は落下の危険を伴う。
このため、屋根部分の低いビニールハウスが望まれている。
【００１０】
また、一般的なさくらんぼの栽培方法では、霜の被害の少ない高所の枝に、さくらんぼの果実がなる。このため、さくらんぼの果実を収穫する場合、高所で収穫作業を行うことを要する。
【００１１】
また、さくらんぼの実は、日当たりがよいほど、色づきがよく、高い糖度となる。さくらんぼの樹木は、分枝構造により、さくらんぼの実の位置毎に日照時間や日照量などが異なる。このため、さくらんぼの実それぞれに略均一に日を当てるように、葉の摘み取り、アルミシートなどの反射体を地面に配置する、などの作業が行われる。
しかしながら、葉の摘み取り作業は、手間が掛かる、高所作業であり危険が伴う、などの問題がある。
【００１２】
また、上述した一般的なさくらんぼの栽培方法では、樹木全体でさくらんぼの実への日照が均一でないので、実の位置で収穫時が異なる。詳細には、色づきのよいさくらんぼの実のみを収穫し、それ以外の実を色づくまで収穫せずにそのままにしておくので、収穫の期間が長い。
このため、各さくらんぼの実を略均等に色づくように栽培して、収穫期間を短縮することが望まれている。
【００１３】
また、一般的な樹木の分枝構造では、枝や葉が放射状に積層された構造となり、樹木の各箇所に略均一に農薬散布を散布するのに大量の農薬を要する。このため、少量の農薬散布で済むさくらんぼ等の樹木の栽培方法が望まれている。
【００１４】
また、さくらんぼは自家受粉しない品種が多い。このため、異品種のさくらんぼをハウス内で栽培し、風や蜂による受粉、毛ばたきなどを用いた受粉作業などを行っている。しかしながら、高所にある雌しべや雄しべに対する毛ばたきを用いた受粉作業は、手間の掛かる作業であり、改善が望まれている。
【００１５】
本発明は、上述した問題に鑑みてなされたもので、屋根部分が低く、果実を収穫しやすく、栽培しやすい、農業用ハウス、さくらんぼ用ビニールハウスを提供すること、また、略均一な色づきの果実を短期間に収穫し易く、農薬を略均一的に散布することができると共に、農薬の散布量を従来に比べ約１／２に削減でき、農薬散布回数も低減することができ、コストダウンも図れる、農業用ハウス、さくらんぼ用ビニールハウスを提供すること、などを目的とする。
【課題を解決するための手段】
【００１６】
このような目的を達成するために、本発明の農業用ハウスは、以下の構成を少なくとも具備するものである。
果樹を栽培する農業用ハウスであって、
立設される支柱と、
前記支柱の上部に設けられた、ビニールシートを設置可能な屋根部と、
前記屋根部よりも低い位置に傾斜して配置されるとともに前記支柱に直接又は間接的に連結部材により連結された、前記果樹の幹のガイド用の傾斜ガイド部材と、を有することを特徴とする。
【００１７】
また、本発明のさくらんぼ用ビニールハウスは、上記農業用ハウスを用いていることを特徴とする。
【発明の効果】
【００１８】
本発明によれば、簡単な構造で、屋根部分が低く、果実を収穫しやすく、栽培しやすい、農業用ハウス、さくらんぼ用ビニールハウスを提供することができる。
また、本発明によれば、略均一な色づきの果実を短期間に収穫し易く、農薬を略均一的に散布することができると共に、農薬の散布量を従来に比べ約１／２に削減でき、農薬散布回数も低減することができ、コストダウンも図れる、農業用ハウス、さくらんぼ用ビニールハウスを提供することができる。
【図面の簡単な説明】
【００１９】
【図１】本発明の実施形態に係る農業用ハウスとしてのさくらんぼ用ビニールハウスの一例を示す全体図。
【図２】農業用ハウスとしてのさくらんぼ用ビニールハウスの一例を示す斜視図。
【図３】さくらんぼ用ビニールハウスの一例を説明するための図、（ａ）は斜視図、（ｂ）は押さえ紐、ビニールシート、防鳥用ネット、および、垂木パイプの一例を示す図。
【図４】ビニールシートを設けた農業用ハウスの一例を示す斜視図。
【図５】農業用ハウスとしてのさくらんぼ用ビニールハウスのパイプ構造の一例を示す側面図。
【図６】さくらんぼ用ビニールハウスの一例を示す上面概念図。
【図７】さくらんぼ用ビニールハウスの支柱の脚部の構造の一例を示す図。
【図８】さくらんぼ用ビニールハウスの棟パイプと垂木パイプの固定構造の一例を示す図。
【図９】さくらんぼ用ビニールハウスのビニールシートと防鳥用ネットの位置関係の一例を示す斜視図。
【図１０】ビニールハウス間の谷部の構造の一例を示す図。
【図１１】垂木パイプと軒桁パイプと連結部材の一例を示す図。
【図１２】押さえ紐の取付構造の一例を示す図、（ａ）は棟パイプと押さえ紐の一例を示す図、（ｂ）は係止具と押さえ紐の一例を示す図、（ｃ）は係止具の断面図。
【図１３】一般的なさくらんぼ用ビニールハウスの一例を示す斜視図。
【発明を実施するための形態】
【００２０】
本発明の実施形態に係る農業用ハウスは、立設される支柱と、支柱の上部に配置されるとともに該支柱に連結部により連結される、ビニールシートを設置可能な屋根部と、屋根部よりも低い位置に傾斜して配置されるとともに支柱に直接又は間接的に連結部により連結される、果樹の幹のガイド用の傾斜ガイド部材と、を有する。
【００２１】
以下、本発明の実施形態に係る農業用ハウスを、図面を参照しながら説明する。農業用ハウスは農業用や園芸用などに用いられる。本実施形態では、農業用ハウスとしてさくらんぼ用ビニールハウスを説明する。
【００２２】
本発明の実施形態は図示の内容を含むが、これのみに限定されるものではない。なお、以後の各図の説明で、既に説明した部位と共通する部分は同一符号を付して重複説明を一部省略する。
【００２３】
図１は本発明の実施形態に係る農業用ハウスとしてのさくらんぼ用ビニールハウス１０の一例を示す正面図である。図２はさくらんぼ用ビニールハウス１０の一例を示す斜視図である。このハウスは、例えば、パイプ部材（パイプ）、連結部材５等を組み合わせて構成され、容易に組立て、又は、分解を行うことができる。パイプ部材としては、金属製や樹脂製などを適宜採用することができる。
さくらんぼ用ビニールハウス１０は、支柱１、屋根部２、傾斜ガイド部材３、水平ガイド部材３２などを有する。
【００２４】
さくらんぼ用ビニールハウス１０は、複数の支柱１（主支柱１１、支柱１２）が規定間隔で地面Ｅに立設されている。本実施形態では、ビニールハウス１０の中央部に比較的高い複数の主支柱１１が奥行き方向に沿って立設しており、主支柱１１の両サイドに比較的低い支柱１２が奥行き方向に沿って立設されている。
また、支柱１には、梁パイプ４１（梁部材）が水平に設けられている。梁パイプ４１は、主支柱１１の略中央部、および左右の支柱１２の上部に連結部材５により連結されている。
また、軒桁パイプ４２（軒桁部材）が支柱１２の上部に奥行方向に沿って配置され、連結部材５により支柱１２に連結されている。
【００２５】
屋根部２は、主支柱１１や支柱１２の上部に設けられている。屋根部２は、連結部材５などの連結部により主支柱１１や支柱１２に連結されている。屋根部２は、パイプなどより構成されている。詳細には、屋根部２は、金属製の棟パイプ２２（棟木部材）、金属製の垂木パイプ２１（垂木部材）、などを有する。
棟パイプ２２は、主支柱１１の上部に奥行き方向に水平に設けられている。
垂木パイプ２１は、上部が棟パイプ２２に連結部材５などにより連結され、下部が軒桁パイプ４２や支柱１２に連結部材５などにより連結され、傾斜して配置されている。垂木パイプ２１の傾斜角度は、水平を基準として２５°〜４０°程度に規定されている。尚、垂木パイプ２１の傾斜角度は、使用状況により適宜規定する。
また、垂木パイプ２１の下端部を屈曲形状の連結部材を介して支柱４４と連結した構造としてもよい。
【００２６】
屋根部２は、防雨用ビニールシート７（防水性ビニールシート）を巻き回したロールや、防鳥用ネット８を巻き回したロールなどを、棟カバー部６内に収容可能に構成されている。防雨用ビニールシート７や防鳥用ネット８は、垂木パイプ２１上に適宜配置可能に構成されている。また、防鳥用ネット８の開口部が小さい防虫用ネットを垂木パイプ２１上に適宜設けてもよい。
棟カバー部６は、傾斜部５ａを有する屈曲形状の連結部材５に固定金具（不図示）などにより着脱自在に設けられている。
また、棟カバー部６内には留め具８６が設けられており、その留め具８６に防雨用ビニールシート７や防鳥用ネット８の端部が着脱自在に固定される。
また、留め具８７を垂木パイプ２１の略中央部から下端付近の間の規定位置に設け、その留め具８７に、防鳥用ネット８やビニールシート７の下端部を着脱自在に固定してもよい。また、その留め具８７に、防霜用ビニールシートの上端部を固定してもよい。
【００２７】
また、本実施形態では、複数の農業用ハウスが隣接して設けられており、屋根部と屋根部の間の谷部に雨樋としての樋部９が設けられている。
【００２８】
傾斜ガイド部材３は、屋根部２よりも低い位置に傾斜して配置されている。傾斜ガイド部材３は、支柱１に直接又は間接的に連結部材５などの連結部により連結されている。本実施形態では、傾斜ガイド部材３の下部が支柱１２の地面近傍に連結部材により連結され、傾斜ガイド部材３の上部が主支柱１１の中央部付近（棟パイプ２２よりも低い位置）に連結部材５により連結されている。
傾斜ガイド部材３の傾斜角度は、水平を基準として２０°〜３０°程度に規定されている。尚、垂木パイプ２１の傾斜角度は、使用状況により適宜規定する。
果樹の幹が充分に生長した場合、傾斜ガイド部材３を取り除いてもよい。
【００２９】
また、本実施形態では、水平部材３１（水平パイプ）が、規定間隔で一列に立設された複数の支柱１間に奥行き方向に水平に配置され、連結部材５により主支柱１１に連結されている。傾斜ガイド部材３の上部は、この水平部材３１に連結部材５により連結されていてもよい。
傾斜ガイド部材３の下部の地面、本実施形態では支柱１２を立設した付近には、さくらんぼなどの果樹Ｓの苗木が、傾斜ガイド部材３の傾斜に合わせて斜めに植えられている。果樹Ｓの幹Ｓａは、針金や紐などの留め具８１により、傾斜ガイド部材３に着脱自在に括りつけられる。つまり、傾斜ガイド部材３は、果樹Ｓの幹Ｓａのガイドとして用いられる。このため、果樹の幹Ｓａは支柱１２の下部付近から傾斜ガイド部材３に沿って斜め上に生長する。
【００３０】
また、この傾斜ガイド部材３は農業用ハウスの筋交いとして機能し、農業用ハウスの強度を向上させている。
尚、図１に示すように、傾斜ガイド部材３（３５）の下部を主支柱１１の下部付近と、支柱１２の上部や軒桁パイプの間等に設けてもよい。
【００３１】
また、本実施形態では、足場パイプ３３が傾斜ガイド部材３の上部付近に設けられており、高所作業用時に足場として用いられる。
【００３２】
水平ガイド部材３２は、複数の傾斜ガイド部材３間に設けられている。詳細には、水平ガイド部材３２は、複数の傾斜ガイド部材３間に、奥行き方向に略水平に設けられている。この水平ガイド部材３２は、果樹Ｓの幹Ｓａから伸びる枝Ｓｂを略水平に導くガイド用として用いられる。水平ガイド部材３２としては、例えば、樹脂などで被覆した金属線、紐などを挙げることができる。
果樹Ｓの幹Ｓａから伸びる枝Ｓｂは、針金や紐などの留め具８１により、水平ガイド部材３２に着脱自在に括りつけられる。このため、果樹の枝Ｓｂは下部付近から傾斜ガイド部材３に沿って斜め上に生長する。
尚、果樹の枝が充分に生長した場合、水平ガイド部材３２を取り除いてもよい。
【００３３】
図３はさくらんぼ用ビニールハウス１０の一例を説明するための図である。詳細には、図３（ａ）はさくらんぼ用ビニールハウス１０の斜視図であり、図３（ｂ）は押さえ紐２６、ビニールシート７、防鳥用ネット８、および、垂木パイプ２１の一例を示す図である。
ビニールハウス１０の屋根部２には、垂木パイプ２１上に防鳥用ネット８や防雨用ビニールシート７などが設置可能に設けられている。防雨用ビニールシート７や防鳥用ネット８は、マイカ線（登録商標）などの押さえ紐２６（固定部材）により屋根部２に設置可能に構成されている。防雨用ビニールシート７、防鳥用ネット８のいずれか一方、または、両方を設置することができる。この場合、防雨用ビニールシート７、防鳥用ネット８を固定するために、複数の補助パイプ４５をハウスの所定位置に設けた構造としてもよい。
【００３４】
図４はビニールシートを設けた農業用ハウスとしてのさくらんぼ用ビニールハウスの一例を示す斜視図である。
図４に示した例では、屋根部２に防雨用ビニールシート７が設けられ、ハウスの周囲の側面を覆うように防霜用ビニールシート７１が設けられている。
また、図４に示した例では、防霜用ビニールシート７１は、地上から高さ２ｍ〜３ｍ程度、またはそれ以上の範囲を覆うように設けられている。こうすることで、開花時に、低い枝への霜による被害を防ぐことができる。また、暖房装置などでハウス内を暖房する際に、ハウスの側面を覆うようにビニールシートを設けてもよい。必要のない場合には、防霜用ビニールシート７１を容易に取り除くことができるようにハウスが構成されている。
また、防鳥用ネットをハウス全体、または所定の箇所を覆うように適宜設けてもよい。
【００３５】
図５は農業用ハウスとしてのさくらんぼ用ビニールハウス１０のパイプ構造の一例を示す側面図である。
主支柱１１などの支柱１には、筋交いパイプ１５（筋交い部材）が設けられており、それらは連結部材５により連結されている。図５に示した例では、規定間隔で立設された複数の主支柱１１の上部付近に水平部材３１が連結部材５により連結されており、各支柱１に筋交いパイプ１５が連結部材５により連結されている。
【００３６】
図６はさくらんぼ用ビニールハウス１０の一例を示す上面概念図である。
上述したように、ビニールハウス１０は、複数の支柱１（主支柱１１、支柱１２）が規定間隔に立設されている。主支柱１１上には棟パイプ２２が設けられ、支柱１２上には軒桁パイプ４２が設けられている。棟パイプ２２と軒桁パイプ４２の間には垂木パイプ２１が設けられるとともに、ビニールシートを保持する複数の押さえ紐２６が張設されている。
ハウスの棟の間の谷部には、雨樋としての樋部９が設けられている。樋部としては金属製の雨樋部材９１などを採用することができる。樋部９の詳細な構造については後述する。
【００３７】
図７はさくらんぼ用ビニールハウスの支柱１の脚部の構造の一例を示す図である。
強風対策のため、地面Ｅに立設されている支柱１の下端部は、地中に配置された金属台部材１８に連結されていることが好ましい。
この金属台部材１８は、筒状本体部１８ａと、筒状本体部１８ａの下端に連結された平板部１８ｂを有する。平板部１８ｂは筒状本体部１８ａの直径よりも大きい幅を有する。金属台部材１８の筒状本体部１８ａの中央部と、支柱１の下端部付近は、ボルトなどの固定部材１９により固定されている。この場合、強風時であっても支柱１が地面Ｅから上方へ抜けることを防止することができる。
【００３８】
図８はさくらんぼ用ビニールハウスの棟パイプ２２と垂木パイプ２１の固定構造の一例を示す図である。
図８に示した例では、垂木パイプ２１は、連結部材５として、屈曲形状の中空部材５２（中継ぎ管）の端部に連結され、その中空部材５２が棟パイプ２２に対して、連結部材５としてのＵ字形状の固定部材５１により固定されている。
尚、棟パイプ２２と垂木パイプ２１の固定構造は、この形態に限られるものではなく、種々な態様であってもよい。
【００３９】
図９はさくらんぼ用ビニールハウスのビニールシート７と防鳥用ネット８の位置関係の一例を示す斜視図である。
防鳥用ネット８はロール８Ａから引き出され、垂木パイプ２１に沿って設置可能である。防雨用ビニールシート７はロール７Ａから引き出され、垂木パイプ２１に沿って設置可能である。
図９に示した例では、防鳥用ネット８上に防雨用ビニールシート７を重ねて設置した状態を示している。尚、この形態に限られるものではなく、必要に応じて防鳥用ネット８、防雨用ビニールシート７のいずれか一方を設置してもよい。防雨用ビニールシート７などは押さえ紐２６により屋根部等に固定される。
ロール状の防鳥用ネット８や防雨用ビニールシート７は、例えば、地上付近に設けられた回転ハンドルに回転自在に連結した構造とすることで、地上から操作者が回転ハンドルを操作して、簡単に防鳥用ネット８や防雨用ビニールシート７を着脱するようにしてもよい。
また、温度センサや湿度センサにより検出された温度や湿度に応じて、回転ハンドルを回転駆動する駆動機構を設けて、防鳥用ネット８や防雨用ビニールシート７の着脱を制御してもよい。
【００４０】
図１０はビニールハウス間の谷部の構造の一例を示す図である。
支柱１（１２）上に連結部材５により軒桁パイプ４２や梁パイプ４１が連結されている。傾斜して配置された垂木パイプ２１の下端部付近が梁パイプ４１に連結部材により連結されている。
谷部には、垂木パイプ２１上に樋部９の雨樋部材９１が設けられている。板形状の雨樋部材９１は、中央部が下方に屈曲した形状に形成され、両端部に凹形状の係止部が形成されており、係止部材９５により垂木パイプ２１に着脱自在に固定されている。
また、防雨用ビニールシート７、防鳥用ネット、押さえ紐２６などの端部が雨樋部材９１の係止部に位置した状態で、固定部材９４により雨樋部材９１に着脱自在に固定されている。
本実施形態では、図１０に示したように、樋部９上に不要なパイプなどが設けられていない簡単な構造であり、雨樋上で作業しやすい。
また、雨樋と垂木パイプをボルトなどにより固定する構造と比較して、本実施形態では、上記係止構造となっているので、雨樋部材９１が錆びにくい。尚、係止部材９５と垂木パイプ２１の係合構造は、所定の構造であってもよい。
【００４１】
図１１は垂木パイプ２１と軒桁パイプ４２と連結部材５３（５）の一例を示す図である。略直交する垂木パイプ２１と軒桁パイプ４２は、屈曲したＵ字形状の連結部材５３（５）により連結してもよい。この連結部材５３の端部を開いた状態で、軒桁パイプ４２の下部から垂木パイプ２１を跨ぎ、再び軒桁パイプ４２の下部で閉状態とすることで、軒桁パイプ４２と垂木パイプ２１を固定した構造となっている。
尚、垂木パイプ２１と棟パイプも同様に連結部材５３（５）により連結してもよい。
【００４２】
図１２は押さえ紐の取付構造の一例を示す図である。詳細には図１２（ａ）は棟パイプ２２と押さえ紐２６の一例を示す図、図１２（ｂ）は係止具８５と押さえ紐２６の一例を示す図、図１２（ｃ）は係止具８５の断面図である。
押さえ紐２６は棟パイプ２２に所定の結び構造で着脱固定され、係止具８５などにより軒桁パイプなどに掛止される。係止具８５は、下部８５ａが屈曲したリング状に形成され、上部８５ｂが押さえ紐２６に掛止した状態で、リング状の留め部材８５ｃにより押さえ紐２６を固定可能な構造となっている。
また、係止具８５の上部８５ｂに回転部材を設けて、押さえ紐２６に対して摩擦を低減させてもよい。尚、係止具８５の形状は、この形態に限られるものではなく、種々の態様であってもよい。
【００４３】
以上、説明したように、本発明の実施形態に係る農業用ハウスは、果樹や野菜などを栽培することができる。詳細には、本実施形態に係る農業用ハウスとしてのさくらんぼ用ビニールハウス１０は、立設される支柱１と、支柱１の上部に配置されるとともに、その支柱１に連結部（連結部材）により連結される、ビニールシートを設置可能な屋根部２と、屋根部２よりも低い位置に傾斜して配置されるとともに、支柱１に直接又は間接的に連結部により連結される、果樹の幹のガイド用の傾斜ガイド部材３と、を有する。
このため、地面に斜めに植えたさくらんぼ等の果樹（樹木）の幹が傾斜ガイド部材３に沿って斜め上方向に生長する。幹が斜めに傾斜して生長することで、樹木の高さが従来と比較して低くなる。つまり、屋根部２が従来と比較して低い農業用ハウスとしてのさくらんぼ用ビニールハウスを提供することができる。また、樹木の高さが低いので、果実を収穫し易い。
また、屋根部２が従来よりも低いので、防雨用ビニールシート等の脱着が容易である。
【００４４】
また、本実施形態では、傾斜ガイド部材３が果樹の幹のガイドとハウスの筋交いを兼ねるので、ハウスの強度が大きい。また、新たに別部材として筋交いを設ける必要がないので、ハウスの部品点数が少なく、農業用ハウスに係る製造コストが低い。
【００４５】
また、果樹の幹が成長して太くなった場合、傾斜ガイド部材３はガイド用として不要となるので、傾斜ガイド部材３を取り外してもよい。この場合、新たな筋交いを別の位置に設け、ハウスの強度の低下を防止してもよい。
【００４６】
また、本発明の実施形態に係る農業用ハウスとしてのさくらんぼ用ビニールハウス１０は、規定間隔で一列に立設された複数の支柱１間に設けられ、傾斜ガイド部材３の上部に連結される水平部材３１（水平パイプ）と、複数の傾斜ガイド部材３間に設けられ、果樹の幹から伸びる枝を略水平に導くガイド用の水平ガイド部材３２（ガイド線）と、を有する。
このため、従来よりも低い位置の水平ガイド部材３２に沿って、果樹の幹から枝が生長する。果樹の枝が水平ガイド部材３２に沿って生長した場合、この枝に果実が実るので果実の収穫作業を容易に行うことができる。
また、本実施形態の果樹の栽培方法では、果樹が上述した分枝構造となり、各枝の実に略均一に日光が照射される。さくらんぼなどの実は、日当たりがよいほど、色づきがよく、高い糖度となる。また、各枝のさくらんぼの実を略均等に色づくように栽培することができるので、収穫期間を短縮することができる。
【００４７】
また、従来よりも低い位置の水平ガイド部材３２に沿って、果樹の幹から枝が生長するので、葉の摘み取り作業が容易である。
【００４８】
また、本実施形態の果樹の栽培方法では、農薬を散布する場合、樹木が上述した分枝構造を有するので、各枝などに略均一に少量の農薬を容易に散布することができる。このため、農薬散布に掛かる費用、時間などを節約することができる。
【００４９】
また、本実施形態の果樹の栽培方法では、樹木が上述した分枝構造を有し、雄しべや雌しべが低い位置にあるので、毛ばたきなどによる受粉作業を容易に行うことができる。
【００５０】
また、本発明の実施形態に係る農業用ハウスとしてのさくらんぼ用ビニールハウス１０は、農業用ハウスの周囲を覆う防霜用ビニールシートを有する（図４参照）。さくらんぼの開花時期の霜対策として、図４に示したように、地面（地上）から高さ１ｍ〜３ｍ程度、またはそれ以上の高さ、好ましくは２ｍ程度の防霜用ビニールシートをハウスの周囲を覆うように設ける。このため、低い位置の枝に対する霜によるダメージを防止することができ、低い位置の枝に果実を実らせることができ、果実を収穫し易い。
【００５１】
また、屋根部２は、ビニールシート、防鳥用ネット、防虫用ネットなどを設置可能な構造を有する。このため、ビニールシートにより樹木に対して防雨対策や防風対策を容易に行うことができる農業用ハウスを提供することができる。
また、防鳥用ネットや防虫用ネットを農業用ハウス全体に設けることにより、樹木に対して防鳥対策や防虫対策を容易に行うことができる農業用ハウスを提供することができる。
【００５２】
また、本発明の実施形態に係る農業用ハウスは、パイプと連結部材などで構成された骨格構造を有するので、容易に組立て、及び、解体することとができる。
【００５３】
また、上記農業用ハウスをさくらんぼ用ビニールハウスに適用することで、高品質のさくらんぼを栽培することができる。
【００５４】
つまり、本発明の実施形態によれば、略均一な色づきの果実を短期間に収穫し易く、農薬を略均一的に散布することができると共に、農薬の散布量を従来に比べ約１／２に削減でき、農薬散布回数も低減することができ、コストダウンも図れる、農業用ハウス、さくらんぼ用ビニールハウスを提供することができる。
【００５５】
また、本発明に係る農業用ハウスを、果樹や野菜などの植物を栽培するのに用いてもよい。
【００５６】
以上、本発明の実施形態について図面を参照して詳述してきたが、具体的な構成はこれらの実施形態に限られるものではなく、本発明の要旨を逸脱しない範囲の設計の変更等があっても本発明に含まれる。
また、上述の各図で示した実施形態は、その目的及び構成等に特に矛盾や問題がない限り、互いの記載内容を組み合わせることが可能である。
また、各図の記載内容はそれぞれ独立した実施形態になり得るものであり、本発明の実施形態は各図を組み合わせた一つの実施形態に限定されるものではない。
【符号の説明】
【００５７】
１…支柱
２…屋根部
３…傾斜ガイド部材
５…連結部材
６…棟カバー部
７…ビニールシート（防雨用ビニールシート）
８…防鳥用ネット
９…樋部
１０…さくらんぼ用ビニールハウス（農業用ハウス）
１１…主支柱
１２…支柱
２１…垂木パイプ
２２…棟パイプ
２６…押さえ紐
３１…水平部材
３２…水平ガイド部材
４１…梁パイプ
４２…軒桁パイプ
７１…防霜用ビニールシート（防水性ビニールシート）
Ｓ…果樹
Ｓａ…幹
Ｓｂ…枝
【図１】
2016093109.tif 000003
【図２】
2016093109.tif 000004
【図３】
2016093109.tif 000005
【図４】
2016093109.tif 000006
【図５】
2016093109.tif 000007
【図６】
2016093109.tif 000008
【図７】
2016093109.tif 000009
【図８】
2016093109.tif 000010
【図９】
2016093109.tif 000011
【図１０】
2016093109.tif 000012
【図１１】
2016093109.tif 000013
【図１２】
2016093109.tif 000014
【図１３】
2016093109.tif 000015